(57)【要約】移動体無線端末（１０）内のインシデント記録を管理する方法は、移動体無線端末が関与するインシデントの発生の際に、インシデントに関連付けられたインシデント記録を生成し、インシデント記録に位置情報を関連付けることを含み、位置情報はインシデントの時点の移動体無線端末の位置を示す。この方法はまた、一組の検索基準を満たす第１の組のインシデント記録を戻すために、複数のインシデント記録に関連付けられた位置情報を検索してもよい。この方法はまた、第２の組のインシデント記録を戻すために、第１の組のインシデント記録から選択したインシデント記録の一つと時刻ベース、コンテンツ・ベース、およびインシデントの種類ベースのうちの少なくとも何れかの関連性を有するインシデント記録を検索してもよい。
2009529276.tif 000002
【特許請求の範囲】
【請求項１】
移動体無線端末（１０）内のインシデント記録を管理する方法であって、
前記移動体無線端末の関与するインシデントの発生の際に、該インシデントに関連付けられたインシデント記録を生成する工程であって、該インシデントの時点における該移動体無線端末の位置を示す、記憶補助ベースの位置情報を該インシデント記録が含む工程と、
記憶補助用の値に関連する少なくとも一つの位置を含む検索基準を用いて複数のインシデント記録に関連付けられた前記位置情報を検索する工程と、
ユーザに提示するために論理的な手法で前記検索基準を満たすインシデント記録を配置する工程とを備える方法。
【請求項２】
前記検索基準は時刻の値または時刻の範囲をさらに含むことを特徴とする請求項１に記載の方法。
【請求項３】
前記少なくとも一つの記憶補助用の値を含む検索基準を用いた前記検索において特定されたインシデント記録のうちの選択された一つに対して、時刻ベースの関連性、コンテンツ・ベースの関連性、またはインシデントの種類ベースの関連性のうちの少なくとも一つを有するインシデント記録を特定するために、複数のインシデント記録に関連付けられた前記位置情報の第２の検索を行う工程をさらに備える請求項１又は２に記載の方法。
【請求項４】
移動体無線端末（１０）内のインシデント記録を管理する方法であって、
前記移動体無線端末の関与するインシデントの発生の際に、該インシデントに関連付けられたインシデント記録を生成する工程と、
前記インシデント記録に位置情報を関連付ける工程であって、該位置情報は前記インシデントの時点の前記移動体無線端末の位置を示す工程とを備える方法。
【請求項５】
前記位置情報は、前記インシデントの時点における前記移動体無線端末の前記位置の記憶補助の形式であることを特徴とする請求項４に記載の方法。
【請求項６】
前記インシデント記録に前記位置情報の正確度を関連付ける工程をさらに備える請求項４又は５に記載の方法。
【請求項７】
一組の検索基準を満たす第１の組のインシデント記録を戻すために、複数のインシデント記録に関連付けられた前記位置情報を検索する工程をさらに備える請求項４乃至６のいずれか１項に記載の方法。
【請求項８】
時間的順序又は地理的順序の少なくとも一つによって前記第１の組の前記インシデント記録を整列する工程をさらに備える請求項７に記載の方法。
【請求項９】
移動体無線端末（１０）であって、
前記移動体無線端末の関与するインシデントの発生ごとにインシデント記録を記憶するメモリ（１８）と、
各インシデント記録に位置情報を関連付けるロジックを実行するプロセッサ（１８）であって、前記位置情報は前記インシデントの時点の前記移動体無線端末の位置を示すプロセッサ（１８）とを備える移動体無線端末（１０）。
【請求項１０】
機械が使用可能な記録媒体に記憶されたプログラムであって、前記プログラムは移動体無線端末（１０）が実行可能なインシデント記録編成機能（２２）を含み、
前記移動体無線端末（１０）の関与するインシデントの発生の際に、該インシデントに関連付けられたインシデント記録を生成し、
前記インシデント記録に位置情報を関連付け、前記位置情報は前記インシデントの時点における前記移動体無線端末の位置を示すための実行可能なロジックを備えるプログラム。
【発明の詳細な説明】
【技術分野】
【０００１】
本発明は一般に音声通信に従事する電子機器のような電子機器に関する。より詳細には、本発明はこのような電子機器内のインシデント記録（ｉｎｃｉｄｅｎｔ  ｒｅｃｏｒｄ）を編成する（ｏｒｇａｎｉｚｅ）方法およびシステムに関する。
【背景技術】
【０００２】
音声通信を提供する電子機器の移動体アイテムがますます一般的となってきている。さらに、電子機器に関連付けられた機能はますます多様になってきている。少しの例を挙げると、多くの電子機器は、カメラ、テキスト・メッセージング機能、インターネット閲覧機能、電子メール機能、映像再生機能、音声再生機能、画像表示機能、ハンズフリー・ヘッドセット・インタフェース、および（例えば、全地球測位システム（ＧＰＳ）データを受信することによる）位置探知能力を含む。
【０００３】
電子機器は、データ、アドレス帳または連絡先情報、着信音、映像クリップ、音声クリップ、画像ファイルなどを記憶するのに使用されるメモリを含み得る。メモリに記憶されるこれらの項目や任意のその他の種類の項目は、典型的にファイルに配置（ａｒｒａｎｇｅ）され、本明細書においてコンテンツと呼ぶ。着信呼や発信呼、着信または発信テキスト・メッセージなどのような、特定のインシデントの発生は、ログに記憶されるであろう。ログ内の各インシデントの記録は、いつインシデントが発生したかを示す関連付けられた日時スタンプを有するであろう。
【０００４】
その他のインシデントもまた時刻スタンプに関連付けられるであろう。例えば、電子機器のカメラで撮影された写真は、写真が撮影された日時に関連付けられるであろう。インシデントについての時間ベースの編成（例えば、時系列編成）を作成するために、写真やその他のインシデントを発生の順番に配置することができるであろう。インシデントは、特定の時刻に発生したインシデントを見つけるために検索されるであろうし、時間的順序で表示されるであろう。
【発明の開示】
【発明が解決しようとする課題】
【０００５】
時間ベースの編成および検索は、特定のインシデントと相互作用するのに便利な手法であろうが、ユーザがインシデントの日時を用いて特定のインシデントと関連する情報とのうち少なくともいずれかを見つける能力に制限がある。
【課題を解決するための手段】
【０００６】
本発明のある形態では、移動体無線端末内のインシデント記録を管理する方法は、前記移動体無線端末の関与するインシデントの発生の際に、該インシデントに関連付けられたインシデント記録を生成する工程であって、該インシデントの時点における該移動体無線端末の位置を示す、記憶補助ベースの位置情報を該インシデント記録が含む工程を含む。この方法はさらに、記憶補助用の値に関連する少なくとも一つの位置を含む検索基準を用いて複数のインシデント記録に関連付けられた前記位置情報を検索する工程と、ユーザに提示するために論理的な手法で前記検索基準を満たすインシデント記録を配置する工程を含む。
【０００７】
別の形態では、前記検索基準は時刻の値または時刻の範囲をさらに含む。
【０００８】
別の形態では、前記少なくとも一つの記憶補助用の値を含む検索基準を用いた前記検索において特定されたインシデント記録のうちの選択された一つに対して、時刻ベースの関連性、コンテンツ・ベースの関連性、およびインシデントの種類ベースの関連性のうちの少なくとも一つを有するインシデント記録を特定するために、複数のインシデント記録に関連付けられた前記位置情報の第２の検索を行う工程をさらに含む。
【０００９】
本発明のある形態では、移動体無線端末内のインシデント記録を管理する方法は、前記移動体無線端末の関与するインシデントの発生の際に、該インシデントに関連付けられたインシデント記録を生成する工程と、前記インシデント記録に位置情報を関連付ける工程であって、該位置情報は前記インシデントの時点の前記移動体無線端末の位置を示す工程とを含む。
【００１０】
別の形態では、前記位置情報は、前記インシデントの時点における前記移動体無線端末の前記位置の記憶補助の形式である。
【００１１】
別の形態では、この方法は前記インシデントの時刻を前記インシデント記録に関連付ける。
【００１２】
別の形態では、この方法は前記インシデント記録に前記位置情報の正確度を関連付ける。
【００１３】
別の形態では、この方法は一組の検索基準を満たす第１の組のインシデント記録を戻すために、複数のインシデント記録に関連付けられた前記位置情報を検索する。
【００１４】
別の形態では、この方法は第２の組のインシデント記録を戻すために、第１の組のインシデント記録から選択した一つの前記インシデント記録と、時刻ベース、コンテンツ・ベース、およびインシデントの種類ベースのうちの少なくとも一つの関連性を有するインシデント記録を検索する。
【００１５】
別の形態では、この方法は論理的に配置されたグループによって、前記第１の組の前記インシデント記録をグループ化する。
【００１６】
別の形態では、この方法は地図に前記第１の組の前記インシデント記録をプロットする。
【００１７】
別の形態では、この方法は時間的順序又は地理的順序のうちの少なくとも一つによって前記第１の組の前記インシデント記録を整列する。
【００１８】
本発明の別の形態では、移動体無線端末は、前記移動体無線端末の関与するインシデントの発生ごとにインシデント記録を記憶するメモリと、各インシデント記録に位置情報を関連付けるロジックを実行するプロセッサであって、前記位置情報は前記インシデントの時点の前記移動体無線端末の位置を示すプロセッサとを含む。
【００１９】
別の形態では、前記プロセッサは、一組の検索基準をみたす第１の組のインシデント記録を戻すために、複数のインシデント記録に関連付けられた前記位置情報を検索するためのロジックをさらに実行する。
【００２０】
別の形態では、前記プロセッサは、第２の組のインシデント記録を戻すために、第１の組のインシデント記録から選択した一つの前記インシデント記録と、時刻ベース、コンテンツ・ベース、またはインシデントの種類ベースのうちの少なくとも一つの関連性を有するインシデント記録を検索するためのロジックをさらに実行する。
【００２１】
別の形態では、前記プロセッサは、論理的に配置されたグループによって、前記第１の組の前記インシデント記録をグループ化するためのロジックをさらに実行する。
【００２２】
別の形態では、前記プロセッサは、地図に前記第１の組の前記インシデント記録をプロットするロジックをさらに実行する。
【００２３】
別の形態では、前記プロセッサは、時間的順序又は地理的順序のうちの少なくとも一つによって前記第１の組の前記インシデント記録を整列するロジックをさらに実行する。
【００２４】
本発明の別の形態では、機械が使用可能な記録媒体に記憶されたプログラムは、前記プログラムは移動体無線端末が実行可能なインシデント記録編成機能を含み、前記移動体無線端末の関与するインシデントの発生の際に、該インシデントに関連付けられたインシデント記録を生成し、前記インシデント記録に位置情報を関連付け、前記位置情報は前記インシデントの時点における前記移動体無線端末の位置を示すための実行可能なロジックを含む。
【００２５】
別の形態では、前記プログラムは、一組の検索基準をみたす第１の組のインシデント記録を戻すために、複数のインシデント記録に関連付けられた前記位置情報を検索するための実行可能なロジックをさらに含む。
【００２６】
別の形態では、前記プログラムは、第２の組のインシデント記録を戻すために、第１の組のインシデント記録から選択した一つの前記インシデント記録と、時刻ベース、コンテンツ・ベース、またはインシデントの種類ベースのうちの少なくとも一つの関連性を有するインシデント記録を検索するための実行可能なロジックをさらに含む。
【００２７】
別の形態では、前記プログラムは、論理的に配置されたグループによって、前記第１の組の前記インシデント記録をグループ化するための実行可能なロジックをさらに含む。
【００２８】
別の形態では、前記プログラムは、地図に前記第１の組の前記インシデント記録をプロットする実行可能なロジックをさらに含む。
【００２９】
別の形態では、前記プログラムは、時間的順序又は地理的順序のうちの少なくとも一つによって前記第１の組の前記インシデント記録を整列する実行可能なロジックをさらに含む。
【００３０】
本発明のこれらの及びさらなる特徴は後述する記述と添付の図面とに関連して明らかになるだろう。記述と図面とにおいて、本発明の原理が適用されうるいくつかの方法を示す本発明の特定の実施形態が詳細に開示されるか、本発明が一致する範囲に制限されないことは理解されよう。正しくは、本発明は、添付の請求項の精神と用語とから生じるすべての変形、修正、および均等物を含む。
【００３１】
ある実施形態に関して説明される機能は、１以上のその他の実施形態において同一のまたは同様の方法で使用されても良いし、および／または、他の実施形態の機能と組み合わせてまたはそのかわりに使用されても良い。
【００３２】
本明細書において使用される「備える／備えている（ｃｏｍｐｒｉｓｅ／ｃｏｍｐｒｉｓｉｎｇ）」という用語は、規定の機能、整数、ステップ、または構成要素の存在を特定することを意図するが、１以上のその他の機能、整数、ステップ、構成要素、またはこれらの組合せの存在または追加を排斥するものではない。
【発明を実施するための最良の形態】
【００３３】
ここで、図面を参照して本発明を説明する。以下において同様の構成要素は同じ参照番号を用いて参照する。
【００３４】
「電子機器」という用語は携帯用無線通信機器を含む。「携帯用無線通信機器」という用語は、本明細書で「移動体無線端末」と呼ばれ、移動体電話、ページャ、コミュニケータすなわち電子オーガナイザ、携帯情報端末（ＰＤＡ）、スマートフォン、携帯用通信装置、または同様のもののようなすべての機器を含む。
【００３５】
本出願において、本発明は主に移動体電話の文脈で説明される。しかしながら、本発明が移動体電話に制限される意図はなく、いかなる種類の電子機器であってもよいことが理解されよう。例えば、本発明の態様では、ＰＤＡやマルチメディア・プレーヤのような、無線通信機能を含まない電子機器の携帯用アイテムに適用され得る。
【００３６】
本明細書で用いられるところによれば、インシデント（ｉｎｃｉｄｅｎｔ）という用語は電子機器に関連付けられたイベントの発生を言及する。したがって、インシデントという用語は、ユーザ・ベースの作動と電子機器ベースの作動とのうちの少なくともいずれかの発生を含むように広く定義される。したがって、インシデントは１以上の以下の例を含んでもよいが、以下の例は本明細書で説明するように編成されるであろう可能性のあるすべてのインシデントの完全なリストではないことが理解されよう。インシデントは着信呼と発信呼とのうちの少なくともいずれかを含んでもよく、音声のみの通話とビデオ通話とのうちの少なくともいずれかを含んでもよい。インシデントは、電子メール・メッセージ、テキスト・メッセージまたはマルチメディア・メッセージ（例えば、ショート・メッセージ・サービス（ＳＭＳ）形式の伝送またはマルチメディア・メッセージング・サービス（ＭＭＳ）形式の伝送）や同様のもののような、着信メッセージと発信メッセージとのうちの少なくともいずれかを含んでもよい。インシデントは、全部または一部が作成されたがまだ送信されていない電子メール・メッセージ、ＳＭＳ、またはＭＭＳのような、ドラフト・メッセージを含んでもよい。インシデントは、インスタント・メッセージング（ＩＭ）通信とチャットとのうちの少なくともいずれかを含んでもよい。インシデントは、ファイルのダウンロード、プッシュ型配信によるファイルの受信、ファイルの送信、ファイルのアップロード、ファイルの共有などの動作を含む、ファイル転送とファイル取得とのうちの少なくともいずれかを含んでもよい。ファイル転送はファイルの購入を含んでもよい。ファイルはいかなる適当なファイル形式であってもよく、例えば、文書処理ドキュメント、スプレッドシート、音声ファイル（例えば着信音、ＷＡＶファイル、ＭＰ３ファイルなど）、映像ファイル、画像ファイル（例えばＪＰＥＧファイル）などを含んでもよい。インシデントは、インターネットまたは特定の「ウェブ」ページにアクセスするためのインターネット・ブラウザの使用を含んでもよい。インシデントは、サーバへのアクセス、仮想専用ネットワーク（ＶＰＮ）セッションの設立、サーバへのログインまたは登録、遠隔実行されるソフトウェア・アプリケーションとの相互作用などを含んでもよい。インシデントはブログ・エントリの投稿や読み出しを含んでもよい。
【００３７】
その他の種類のインシデントには、写真の撮影、メモの記述、記録情報（例えば、アドレス帳に記録された連絡先情報や、「友達リスト」など）の記入やアクセスなどを含んでもよい。  インシデントは、カレンダや個人用編成イベントの記入、または記録されたカレンダや個人用編成イベントのリマインダや発生を含んでもよい。インシデントは、ファイルの使用、音声ファイルの傾聴、映像ファイルの視聴などのような、電子機器１０のメモリに記憶されたコンテンツへのアクセスを含んでもよい。インシデントは、移動体テレビ、映像、ラジオ、または音楽サービスの使用を含んでもよい。インシデントは、ローカル・インタフェース（例えば、赤外線インタフェース、Ｂｌｕｅｔｏｏｔｈインタフェース、有線接続など）を介した別の移動体電子機器や固定ロケーション装置（例えば、デスクトップ・コンピュータ）とのファイル、画像、またはデータの交換のような、接続についてのイベントを含んでもよい。その他の接続についてのイベントには、無線インタフェース（例えば、赤外線インタフェースまたはＢｌｕｅｔｏｏｔｈインタフェース）、有線接続（例えば、ＵＳＢまたはＦｉｒｅｗｉｒｅ接続）、「ハンズフリーの」イヤー・セットまたはヘッドセット（例えば、有線または無線のインタフェース）、アクセサリの接続、バッテリ充電器の接続などのような、ローカル・インタフェースの存在を含んでもよい。
【００３８】
本明細書で使用されるところによれば、インシデント記録は、関連付けられたインシデントの記録である。この記録は、ログ・エントリや対応ファイルのような、いかなる適切な形式を取り得る。インシデント記録の総数は、メモリ空間を節約するために、所定数のインシデント記録（例えば、最新の５００または１０００インシデント）に制限されてもよい。特定の種類のインシデントのための記録は、その他の種類のインシデントの記録と共に、または、その他の種類のインシデントとは分離して、グループ化され記憶されてもよい。例えば、着信呼と発信呼との記録は通話リストに記憶されてもよい。同様に、着信メッセージと発信メッセージとの記録は、同一の通話リストに、または、分離したメッセージング・リストに記録されてもよい。通話の例において、（実際に通話が行われ会話が発生した場合に）関連付けられた会話に関連するコンテンツが記憶されなくてもよい。しかしながら、その他の例において、記録はコンテンツに関連付けられてもよい。例えば、写真の場合において、記録は、撮影と記憶との少なくともいずれかがされた写真のログであってもよい。または、写真に関連付けられた記録は対応する画像ファイルそのものであってもよい。理解されようが、インシデント記録はいかなる適切なデータベース構造に記録されてもよいし、および／または、同一種類または異なる種類の複数のデータベース、ファイル、またはログにわたって記憶されてもよい。
【００３９】
最初に図１を参照して、本発明に係る電子機器１０を示す。電子機器は、インシデント記録に関連付けられた位置情報によってインシデント記録を整理するように構成されたインシデント記録編成機能を含む。インシデント記録編成機能は電子機器１０に常駐し得る実行コードとして実現されてもよいことが理解されよう。
【００４０】
説明される電子機器１０は携帯用装置である。携帯用装置の基本的性質により、ユーザが搬送する位置々々で電子機器１０は動作可能である。したがって、各インシデントとそのインシデントが起こった時刻との間の関連性だけでなく、各インシデントとそのインシデントが起こった場所との間の関連性もある。これらの関係の一つまたは両方は、インシデント記録を編成し、１以上の特定の関心のあるインシデント記録をユーザが検索することを支援するために、インシデント記録編成機能によって使用されるだろう。更なる詳細は以下で説明する。
【００４１】
例示的な実施形態における電子機器は移動体電話であり、移動体電話１０として参照されるだろう。移動体電話１０は、「ブリック」、「ブロック」、または「スティック」形状タイプの筐体１２を有するように示されるが、折り畳み型筐体またはスライド型筐体のような、その他の種類の筐体が、本発明の範囲から逸脱することなしに利用され得ることが理解されよう。
【００４２】
移動体電話１０はディスプレイ１４とキーパッド１６とを含む。従来通り、ディスプレイ１４は、動作状況、時刻、電話番号、連絡先情報、様々なナビゲーション・メニューなどのような、ユーザへの情報を表示し、これにより、ユーザは移動体電話１０の様々な機能を利用可能となる。ディスプレイ１４はまた、移動体電話１０により受信されたコンテンツと移動体電話１０のメモリ１８（図２）から読み出されたコンテンツとのうち少なくともいずれかを視覚的に表示するのにも使用されてもよい。
【００４３】
同様に、キーパッド１６は様々なユーザ入力動作を提供する点で従来通りであってもよい。例えば、キーパッド１６は一般的に、電話番号、電話リスト、連絡先情報、メモなどのような英数字情報の入力を可能とする英数字キー２０を含む。さらに、キーバッド１６は一般的に、通話の開始や応答のための「発信」キーおよび終了のための「終了」キーや通話の「中止」のような、専用機能キーを含む。専用機能キーはまた従来どおり、例えば、異なる電話機能、プロファイル、設定などを選択するためにディスプレイ１４に表示されるメニューを通じたナビゲーションのためのメニュー・ナビゲーション・キーを含む。移動体電話に関連付けられたその他のキーには、音量キー、音声ミュート・キー、電源キー、ウェブ・ブラウザ起動キー、カメラ・キーなどを含んでもよい。キーまたはキーのような機能はまた、ディスプレイ１４に関連付けられたタッチスクリーンとして実現されてもよい。
【００４４】
移動体電話１０は、通話の確立と、通話対象の装置、典型的には別の移動体電話や固定電話との信号の交換とのうちの少なくとも何れかを移動体電話１０に可能とする従来通りの通話回路を含む。しかしながら、通話対象の装置は別の電話機である必要はなく、インターネット・ウェブ・サーバ、コンテンツ提供サーバなどのようなその他の装置であってもよい。
【００４５】
図２は移動体電話１０の機能ブロック図を表す。好適には移動体電話１０内のアプリケーション・ソフトウェアやコードの形態の実行ロジックとして実装される本発明に係るインシデント編成機能２２という例外はあるが、その他の点では移動体電話１０の構成は一般的な従来通りのものである。移動体電話１０は、移動体電話１０全体の機能と動作との制御を実行するように構成された主制御回路１０を含む。制御回路２４は、ＣＰＵ、マイクロコントローラ、またはマイクロプロセッサのような処理デバイス２６を含むであろう。処理装置２６は、移動体電話１０の従来通りの動作を実行するために、制御回路２４内のメモリ（不図示）と、メモリ１８のような分離したメモリとのうちの少なくともいずれかに記憶されたコードを実行する。メモリ１８は、例えば、バッファ、フラッシュメモリ、ハードドライブ、リムーバブル・メディア、揮発性メモリ、および不揮発性メモリのうちの少なくともいずれかであってもよい。さらに、処理デバイス２６は、インシデント記録編成機能２２を実行するために、本発明に従ってコードを実行する。
【００４６】
コンピュータ・プログラミング、具体的には移動体電話のアプリケーション・プログラミングの分野の当業者には、本明細書で説明される機能を動作し実行するために移動体電話１０をどのようにプログラムすればよいかは明らかであるだろう。したがって、具体的なプログラム・コードについての詳細は簡単のために省略する。また、本発明の好適な実施形態に従ってインシデント記録編成機能２２は処理デバイス２６によって実行されるが、このような機能はまた、本発明の範囲を逸脱することなしに、専用ハードウェア、ファームウェア、ソフトウェア、またはこれらの組み合わせにより実行され得る。
【００４７】
図１と図２との参照を続けて、移動体端末１０は無線回路３０に結合したアンテナ２８を含む。無線回路３０は、従来通り、アンテナ２８を介した信号の送信および受信のための高周波送信器および高周波受信器を含む。移動体電話１０はさらに、無線回路２８により送信／受信される音声信号を処理するための音声処理回路３２を含む。音声処理回路３２に結合されたスピーカ３４とマイク３６とは、従来通り、移動体電話１０を介してユーザが聞いて話すことを可能とする。無線回路３０と音声処理回路３２とはそれぞれ、全体的な動作を実行するために制御回路２４に結合される。
【００４８】
移動体電話１０はまた、制御回路２４に結合された前述のディスプレイ１４とキーパッド１６とを含む。移動体電話１０はさらに、Ｉ／Ｏインタフェース３８を含む。Ｉ／Ｏインタフェース３８は、移動体電話１０の底部のマルチエレメント・コネクタのような、一般的な移動体電話のＩ／Ｏインタフェースの形式であってもよい。一般的に、Ｉ／Ｏインタフェース３８は、移動体電話１０内の電源ユニット（ＰＳＵ）を充電するバッテリ充電器を移動体電話１０に結合するために使用されるであろう。これに加えてまたはこれに換えて、Ｉ／Ｏインタフェース３８は、有線パーソナル・ハンズフリー・アダプタ（不図示）やローカル無線インタフェースを移動体電話１０に接続する働きをしてもよい（例えば、Ｉ／ＯインタフェースはＢｌｕｅｔｏｏｔｈ用のハンズフリー・アダプタやその他の装置と使用するためのＢｌｕｅｔｏｏｔｈアダプタのようなローカル無線アダプタを含み、またはこれと接続されてもよい）。さらに、Ｉ／Ｏインタフェース３８は、データ・ケーブルや無線リンクなどを介してパーソナル・コンピュータやその他のデバイスを移動体電話１０に接続する働きをしてもよい。
【００４９】
移動体電話１０はまた、計時機能を実行するためのタイマ４２を含んでもよい。このような機能は、通話期間の計時、日時スタンプのコンテンツの生成などを含んでもよい。
【００５０】
移動体電話１０は、通信システム（不図示）において動作するように構成されてもよい。このシステムは、移動体電話１０により開始され又は移動体電話１０を宛先とする通話を管理し、移動体電話１０にコンテンツを送信し、およびその他のいかなる支援機能を実行するサーバやサーバ群を含み得る。サーバはネットワークおよび伝送媒体を介して移動体電話１０と通信する。通信媒体は、いかなる適当な装置や部品であってもよく、例えば、通信塔、別の移動体電話、無線アクセスポイント、衛星などを含む。ネットワークの一部は、伝送経路（ｔｒａｎｓｍｉｓｓｉｏｎ  ｐａｔｈｗａｙ）を含んでもよい。
【００５１】
移動体電話１０はデジタル写真を撮るためのカメラ４４を含んでもよい。これらの写真に対応する画像ファイルはメモリ１８に記憶されてもよい。
【００５２】
移動体電話１０はまた、全地球測位システム（ＧＰＳ）受信器、ガリレオ衛星システム受信器、または同様のもののような、所在地データ受信器４６を含んでもよい。
【００５３】
図３を参照して、移動体電話１０のよって実行されるインシデント記録編成の方法が説明される。この方法は、インシデント記録編成機能２２の形式のような、実行コードとして実現されてもよい。
【００５４】
説明される方法は、ブロック４８で、インシデントの発生から開始する。インシデントは前述のいかなる例示のインシデントの発生であってもよいし、いかなるその他の位置と時刻とのうちの少なくとも何れかを探知可能なイベント、ユーザ作動、着信伝送または発信伝送、または同様のものであってもよい。
【００５５】
ブロック４８におけるインシデントの発生に続いて、ブロック５０に処理が移行し、インシデント記録が生成され、例えばメモリ１８に記憶されるであろう。インシデント記録は前述のいかなる適切な形式を取ってもよく、制限なしに、ログ・エントリ、インシデントに関連して記憶されるコンテンツやデータなどを含む。
【００５６】
ブロック５２はブロック５０と同時に行われてもよし、ブロック５０と別々に行われてもよいが、ブロック５２で、時間情報と位置情報とがインシデント記録に関連付けられる。例えば、インシデントが発生した時刻がわかるように、日時スタンプがインシデント記録に付加されてもよい。さらに、インシデントの位置がわかるように、位置スタンプがインシデント記録に付加されてもよい。様々な形式の位置スタンプが以下に説明される。
【００５７】
位置スタンプを生成するために、移動体電話１０は、各インシデントに関連付けられた位置を判定するための機構を含む。好適な実施形態では、位置スタンプは、移動体電話１０のその他の動作コンポーネントからインシデント記録編成機能２２が取得できる情報に基づいて自動的に生成される。例えば、位置判定機構は、インシデントの時点で移動体電話１０にサービスしている通信アクセスポイント（例えば、通信塔）の識別（ｉｄｅｎｔｉｔｙ）にアクセスすることを含んでもよい。例えば、通信塔は、関連付けられた識別子（例えば「セル」ＩＤ）を有するセルラ・ネットワークの一部（例えば「セル」塔）であってもよく、識別子は移動体電話１０と通信される。特定のサービスしているネットワークの各識別子すなわちセルＩＤは、一意であることを前提とすることができ、それゆえ、特定の位置に相対的に近いことを示すのに使用されてもよい。ある実施形態では、セルＩＤと任意の関連する無線パラメータとは、無線ネットワーク・サービスを通じた座標値を生成するのに使用されてもよい。例えば、グローバル・システム・モバイル・コミュニケーションズ（ＧＳＭ）やユニバーサル・モバイル・テレコミュニケーションズ・システム（ＵＭＴＳ）のプロトコルにおいて、ネットワークへのモバイル発位置情報リクエスト（ＭＯ−ＬＲ）を通じて位置を測定することができ、その結果、移動体電話１０の位置は、塔の位置とアンテナの方向とであるネットワークについての知見を用いて測定することができる。
【００５８】
その他の実施形態では、位置情報は、全地球測位システム（ＧＰＳ）、ガリレオ衛星システム、または同様のもののような、専用システムからの位置データの受信によって判定されてもよい。このようなデータは、移動体電話１０の一部として存在する場合に所在地受信器４６を介して受信されてもよい。例えば、ＧＰＳ座標は標準参照系（例えば、世界測地系、すなわちＷＧＳ）を用いて表現されてもよい。
【００５９】
その他の実施形態では、位置情報はユーザ入力データから抽出してもよい。例えば、写真を撮影した後に、ユーザは写真を撮影した場所を入力するかもしれない。以下でいっそう明らかになるだろうが、ユーザに入力された位置情報やその他の位置データは、関連する位置情報に基づいてインシデント記録の論理的なグループを生成するために、インシデント記録編成機能２２を用いて、インシデント記録を検索し、および／または、その他のインシデント記録に関連するインシデント記録を配置するための写像または座標系に変換されてもよい。
【００６０】
さらに他の実施形態では、位置情報は、インシデントの時点の移動体電話１０の相対的な所在地に関連する必要はなく、その他の物体やランドマークの位置に関連付けられてもよい。例えば、ユーザにとっては意味があるが、インシデントが発生した時点の移動体電話１０の位置に直接的な連関を有しない特定のインシデントについての位置情報をユーザが入力してもよい（例えば、ユーザが休暇中に仕事に関連するメッセージを受信した場合に、ユーザは位置としてユーザの職場を指定してもよい）。別の例では、インシデントが固定電話の関与する通話である場合に、位置情報は固定電話の位置に関連してもよい。別の例では、別の移動体電話の位置のような、潜在的には変化する位置であってもよい。別の移動体電話の位置データは、「アイ・シーク・ユー」（ＩＣＱ）に実装されている「友達検索」機能を用いて読み出されてもよいし、その他の移動体電話の加入者識別モジュール（ＳＩＭ）カードまたはｖカードに保持される位置フィールドであってもよい。
【００６１】
複数の位置スタンプが一つのインシデント記録に関連付けられてもよい。例えば、両方とも利用可能である場合には、サービスしている塔の識別子とＧＰＳデータとの両方が記憶されてもよい。別の例では、インシデントが通話またはメッセージの場合に、移動体電話１０の位置のほかに、通話対象／メッセージ対象の装置の位置も記憶されてもよい。
【００６２】
インシデント記録に関連付けられた位置スタンプに含まれるデータは、好適な種類の情報が利用できない場合に、代替の種類の情報が記憶され得るように、階層をともなってもよい。例えば、ＧＰＳデータは好適な種類の情報であるであろう。移動体電話１０がＧＰＳ受信器を備えていない場合や移動体電話１０がＧＰＳ受信器を備えているものの一時的にＧＰＳデータが利用できない場合に、サービスしている塔の識別子が記憶されてもよい。
【００６３】
その他の状況では、インシデントの時点において位置情報のソースが利用できない場合（例えば、１以上のＧＰＳデータや、サービスしている塔との接続の喪失など）に、位置スタンプはインシデントの発生してからの時間のずれを位置情報に反映してもよい。例えば、インシデントが発生し、現在の位置情報が利用できない場合に、その間に移動体電話１０が移動しているかもしれないとしても、最後に記録された所在地または最後の既知の所在地を位置スタンプとして使用してもよい。または、インシデントが発生し、現在の位置情報が利用できない場合に、その間に移動体電話１０が移動するかもしれないとしても、情報のソースが利用可能となった将来の時点の際に、位置スタンプに位置情報を投入してもよい。この位置情報は、正確ではない旨の表示、または、ある目的には特に使用に適さない旨の表示が付されてもよい。
【００６４】
各インシデント記録への日時スタンプの関連付けと各インシデント記録への位置スタンプの関連付けとに加えて、位置スタンプに含まれる位置情報の正確度が、正確度スタンプの形式でインシデント記録に関連付けられてもよい。例えば、位置情報がＧＰＳデータである場合に、位置は高度に正確であるだろう。この場合、正確度スタンプは、ＧＰＳ情報データの提供するＧＰＳ正確度の評価の形式であってもよい。位置情報がサービスしている塔の識別子である場合には、位置情報はサービスしている塔のサービス範囲において正確であるだろう。
【００６５】
正確度スタンプは、正確度の等級（例えば、「高正確度」、「中正確度」、「低正確度」、および「信用不可」）から選択した値のような、相対値の形式をとってもよい。または、正確度スタンプは、キロメータ、１０分の１キロメータ、マイル、または１０分の１マイルのような、定量的な値の形式をとってもよい。正確度スタンプは、楕円または楕円体のような、２次元または３次元の不確定形状で表現されてもよい。例えば、ＧＰＳベースの位置はしばしば誤差の範囲を反映した楕円体によって表現される。
【００６６】
示されるように、位置スタンプの形式は１以上の形式をとってもよい。各種類の基礎を成すインシデントの形式は同一である必要はない。位置データは、例えば、座標系、地図に関連した位置、都市の自治体名、生の又は処理されたＧＰＳデータ、生の又は処理されたサービスしている塔の識別子またはユーザ指定値、記憶補助用の値などの観点で表現されてもよい。ある実施形態では、ユーザ指定値（「お気に入り位置」とも呼ばれる）は、これらの種類の記憶補助とのユーザの関連性の意義によって、その他の種類の位置データのより高い優先度で使用されてもよい。例示のユーザ指定の記憶補助用の値は、「仕事」、「学校」、「自宅」、「ボブの家」、「メアリーの職場」、「市立公園」、レストラン名またはカフェ名、よく行く場所の名称などを含む。
【００６７】
位置スタンプのための記憶補助用の値は、（例えば、職業別電話帳リストから抽出された）有名なランドマーク、場所、商業立地の少なくとも何れかの所定のデータベースと、ユーザに提供された場所のリストと、移動体電話１０のアドレス帳や連絡先リストに記憶された連絡先エントリとのうちの少なくとも何れかから選択されてもよい。インシデントの時点における移動体電話１０に距離が最も近い関連付けられた位置を有する記憶補助用の値は、それ自身が位置スタンプの値として、または座標値のようなその他のデータを加えて位置スタンプの値として選択されてもよい。例えば、位置情報のソースとしてサービスしている塔の識別子を使用する場合には、位置スタンプ・データは、関連付けられたセル塔によってサービスされるエリアとして、または、サービス・エリアに位置するランドマークや場所（例えば、特定のビル、通り、交差点、記念碑、ユーザ指定値など）、郵便アドレス（例えば郵便番号）などに関連付けられた記憶補助として、インシデント記録編成機能２２によって一般化されてもよい。例示のユーザ指定の記憶補助用の値は、「仕事」、「学校」、「自宅」、「ボブの家」、「メアリーの職場」、「市立公園」、レストラン名やカフェ名、よく行く場所の名称などを含む。
【００６８】
どのような形式であってもよいが、検索基準を満たすインシデント記録を戻すように、検索され得るデータベース構造にインシデント記録についての位置データが配置される。その結果、関心のあるインシデント記録は、近傍（ｐｒｏｘｉｍｉｔｙ）に基づいた論理的な関連性を有するその他のインシデント記録とともにグループ化され表示／提示されるであろう。この目的を達成するために、インシデント記録編成機能２２は、機械／コンピュータの用いる位置スタンプ・データの値を人間にとってより意味を有する位置の表現への変換と、その逆の変換とをする変換機能を含んでもよい。インシデント記録の検索とグループ化とは、以下により詳細に説明される。
【００６９】
さらに図４を参照して、移動体電話１０によって実行されるインシデント記録の検索、読み出し、および提示方法が説明される。この方法は、インシデント記録編成機能２２の形式のような、実行コードとして実現されてもよい。説明される方法は一般的に、以前にインシデント記録に関連付けられた位置情報を使用する例示的な方法として説明される。
【００７０】
明らかになるだろうが、この方法は、位置又はその他の基準による検索を可能とする。結果は論理的な配置でグループ化される。検索結果から、関連したインシデントが特定されてもよい。これらの機能は、ユーザが特定の情報を見つけようとするが、特定のインシデントがいつ発生したかを思い出せない場合やインシデントが発生した場所についてより関心があるだろう場合に有用である。例えば、写真を撮影した時期に関わらず、ユーザの別荘の写真の読み出しに関心があるかもしれない。別の状況では、ユーザは特定の場所で電話を受けたことを思い出したが、正確な時刻が思い出せないかもしれない。ユーザは電話をした人にメッセージを送信することに関心があるかもしれないが、その人の情報は連絡先データベースやアドレス帳に記憶されていないかもしれない。以前にあった着信呼に関連する連絡先情報を見つけるために、対象のインシデントを簡単に特定するために覚えている場所に関連付けられた位置スタンプを有するインシデント記録をユーザが検索するかもしれない。
【００７１】
本明細書で記載される検索およびグループ化の技術の使用と、検索およびグループ化を実装するやり方とは広範囲に及ぶことが理解されよう。本明細書においてインシデント記録編成機能２２のこれらの機能についての特定の例示的なモデルが説明されるが、その他のモデルも添付の請求の範囲に含まれることを意図する。
【００７２】
図４の方法は、ブロック５４から開始され、インシデント記録の検索が行われるであろう。この検索は、１以上の基準に基づいて行われてもよいし、および／または、１以上の種類のインシデント記録を網羅してもよい。本明細書に記載されるすべての検索手法に対して、時刻、位置、インシデントの種類、およびコンテンツの少なくとも何れかによってインシデント記録を取り入れ又は取り除くオプションが利用可能であってもよい。例えば、検索は写真だけによって行われてもよいし、検索は接続性イベント（例えば、ローカル・インタフェースや接続されたアクセサリの存在）とダウンロードとを除くすべてのインシデントの種類に対して行われてもよい。
【００７３】
一つの例示の検索は、時刻ベースの着信呼の検索であってもよい。このような検索の結果は、着信呼を時系列に写像するために、検索基準を満たす呼の時間的リストとして表示されても良い。別の検索はコンテンツに基づいてもよい。例えば、検索は、特定のアーティストによる音楽を含むすべての着信音に対して行われてもよい。
【００７４】
ここで、位置スタンプ情報と位置スタンプ正確度情報との少なくとも何れかを使用した検索に着目すると、インシデント記録の位置検索は、検索結果の地理的な組を生成するために行われてもよい。この検索結果は、本明細書において広く「地理系列（ｇｅｏｌｉｎｅ）」と呼ばれ、位置情報を用いた検索は本明細書において広く「地理系列検索」と呼ばれる。理解されようが、ユーザは時系列検索と地理系列検索とを切り替えてもよいし、一つの検索からの検索結果を次の検索の開始点として使用してもよい。
【００７５】
数多くの基本的な地理系列検索の技術が可能である。地理系列検索は、１以上の種類のインシデント記録に制限されてもよいし、地理的な検索基準を満たす全てのインシデント記録を読み出すように構成されてもよい。地理系列検索はさらに、位置スタンプ内のデータの正確度と位置検索基準の特異性との少なくとも何れかに基づいてもよい。例えば、位置スタンプの値または位置スタンプ正確度データによって示されるように位置情報の正確度がかなり不正確な場合（例えば、サービスしている塔の識別子は一般的にＧＰＳデータと比べて正確度が低い）には、検索エンジンは、位置検索基準がかなり狭いときに、より多くのインシデント記録を取り込むことができるだろう。このようなフィルタリングは、選択基準位置で実際に生じたインシデントよりも多くのインシデントを捕らえる傾向にあるだろう。つまり、位置データの正確度によって示唆されるように検索基準位置において又は検索基準位置の近くで発生したインシデントが検索結果に含まれるであろう。したがって、このような過度の包含は偽陽性（ｆａｌｓｅ−ｐｏｓｉｔｉｖｅ）の検索結果を作成するものの、ユーザが探しているかもしれないインシデントの除外の可能性を減少する。同様に、位置情報の正確度がかなり正確である場合に、検索エンジンは、位置検索基準がかなり狭いときに、より少ないインシデント記録を取り込むことができるだろう。
【００７６】
また、検索エンジンは、位置検索基準がかなり広い（例えば、位置検索基準が市全体や地域郵便番号に関連する）場合により多くのインシデント記録を取り入れ、位置検索基準がかなり狭い（例えば、位置検索基準が、ユーザの自宅のような特定の場所や所与の座標の組に関連する）場合により少ないインシデント記録を取り入れるように構成されることができるだろう。
【００７７】
理解されようが、関連するインシデント記録が特定されるように、位置スタンプを用いた検索基準の形式への検索基準の変換（またはこの逆の変換）が行われてもよい。例えば、検索基準が記憶補助を含み、位置スタンプがＧＰＳデータを記憶する場合には、実行される検索のために、記憶補助はＧＰＳ座標に変換されてもよい。別の例として、検索基準が地図に対する位置を含み、位置スタンプがサービスしている塔の識別子を記憶する場合には、特定された位置は、位置を示すような対応するサービスしている塔の識別子に変換されてもよい。
【００７８】
ある例では、移動体電話１０は地図を表示するように構成されてもよい。好適には、地図は、一般的な方向（例えば、北、東、南、西、およびこれらの組み合わせ）へのパン、ズームイン、およびズームアウトのためのナビゲーション・ツールに関連付けられる。ユーザは地図上で関心のある場所を特定してもよい。インシデント記録編成機能２２は、特定された位置と関連性を有するすべてのインシデント記録を特定するために、特定された位置とその他の任意の検索基準とを使用する。例えば、ある都市への旅行の間に発生したインシデントの検索にユーザの関心があるとすると、ユーザは地図からその都市を選択するであろう。地理系列検索は都市の特定の部分を選択するためにズームインすることでより狭くなるだろうし、このように検索基準を狭めることは、地図の解像度と位置スタンプ内のデータの相対的な正確度とのうちの少なくともいずれかによってのみ制限されてもよい。
【００７９】
別の検索技術では、名称によって位置をユーザに特定させる。名称は前述した記憶補助に関連してもよいし、制限なしに、位置スタンプ・データとして記憶されたユーザ指定の位置の値（これは、ユーザの個人的お気に入り位置とも呼ばれる）、有名なランドマークおよび場所（電車の駅、ビル、交差点、レストラン、スポーツ会場、小売店、企業など）を含む。別の例では、名称は、ユーザの連絡先リストやアドレス帳に記憶された人や企業に関連付けられた住所や記憶補助に関連してもよい。別の例では、全部または一部の郵便アドレス、座標値、サービスしている塔の識別子などについて検索が行われてもよい。
【００８０】
別の例では、現在の位置から特定の地理的な範囲内で生じたインシデントを見つけるために、移動体電話１０の現在の位置について検索が行われてもよい。別の例として、移動体電話１０の以前の位置について検索が行われてもよい。この例では、移動体電話１０は所定数の過去の位置を記憶するように構成されてもよく、ユーザはこれらの場所の時間的リストや地理的リストをスクロールすることによって、関心のある過去の場所を選択してもよい。地理的リストは、移動体電話１０の現在の位置からの又はその他の特定の位置からの相対的な距離で整列された位置のリストであってもよい。複数の以前の位置は、移動体電話１０に関連するインシデントの地理的なトレースを作成するために検索されてもよい。同様に、別の人の移動体電話の現在又は以前の場所について検索が行われてもよい。
【００８１】
図４の参照を続けて、ブロック５６で、ブロック５４における検索は、一組の結果を戻す。この結果は、検索基準を満たす各インシデント記録を含むであろう。
【００８２】
その後、ブロック５８で、ブロック５６における検索結果は論理的な配置（ａｒｒａｎｇｅｍｅｎｔ）でグループ化され、ユーザに提示される。位置に鋭敏な検索基準を用いて取得された検索結果のグループ化と提示とについての例示の技術を選んでより詳細に説明するため、位置に鋭敏な検索基準以外の検索基準を用いて取得された検索結果のグループ化と提示とは詳細に説明しない。検索結果は互いとの関連の観点でグループ化されてもよい。検索結果は、１以上の検索基準に対する、時刻、位置、インシデントの種類、およびコンテンツのうちの少なくとも何れかの関連性によるインシデント記録の順序としてグループ化されてもよい。
【００８３】
ある例では、移動体電話１０の現在の位置や検索基準に関連するその他の位置に基づいて検索が行われる場合に、この結果は、移動体電話１０の現在の位置から開始してこの位置からの距離が増加するインシデント記録が続く地理系列にリストされたインシデント記録にグループ化されてもよい。または、特定の位置（例えば、連絡先の位置、ユーザ指定の値、記憶補助など）について検索が実行される場合に、この結果は、この特定の位置から開始してこの位置からの距離が増加するインシデント記録が続く地理系列にリストされたインシデント記録にグループ化されてもよい。
【００８４】
検索結果は互いとの関連の点でグループ化されてもよい。例えば、それぞれが所定の閾値距離内で発生したインシデントは、それぞれがグループ化されたものとして示されてもよい。ある実施形態では、第１のグループは検索基準位置におけるインシデントを含むだろうし、別のグループは１マイル以内のインシデントを含むだろうし、別のグループは１マイルより離れたインシデントを含むだろう。別の実施形態では、検索基準位置の近くに集まったインシデントのグループと、検索基準位置の極めて近くのその他の特定可能な位置の近くに集まったインシデントのその他のグループとように、グループは位置に関連してもよい。詳細には、インシデントは、「自宅の近くのインシデント」、「ボブの家の近くのインシデント」、「ニューヨークのグランド・セントラル駅の近くのインシデント」のように、ユーザにとって意味のある参照点を用いてグループ化されてもよい。位置の表現は、（ユーザによる作動やインシデント記録編成機能の動作によって）地図に加えたれたやポイントや、個人的なランドマークのコレクションとしてユーザに指定された場所、移動体電話１０の現在の位置との関連性、アドレス帳に記憶された連絡先の住所や現在の位置との関連性などであってもよい。
【００８５】
グループ化された検索結果は、ユーザがスクロールし得るリストとして提示されてもよい。または、地図上への重ね合わせのような、図示的に結果が提示されてもよい。別の図示的な表示技術には、「マインドマップ」を含んでもよい。「マインドマップ」では、見出しの下に、および／または、インシデントのグループまたは単一のインシデントの間に論理的な関係を引くための連結線を用いることのような、インシデントのグループは位置についての連結グラフとして表示される。見出しの下に図示的に表示されるグループは、選択したグループに属する個々のインシデントを示すように拡大されてもよい。
【００８６】
別の実施形態では、インシデントは階層手法で管理されてもよい。マンハッタンを例として用いると、グループの下位レベルは、マンハッタン南端部のような、マンハッタンの領域の位置を含んでもよい。特定の例では、このような位置は、例えば、ウォールストリート、自由の女神、シティーホール、選択した地下鉄駅、選択した企業、移動体電話１０に記憶された連絡先などであり得る。例を続けると、グループは次の階層に、マンハッタン南端部、ミッドタウン、セントラルパーク、ハーレムなどを含む。次に高位のレベルはニューヨーク市の区を含むであろう。次に高位のレベルはおそらくユーヨーク州の地方や、ニュージャージーやコネチカットを含む隣接する州の地域の少なくとも何れかを含む。
【００８７】
階層配置を用いて、ユーザはある層のインシデントを探して、それからその他のインシデントを閲覧するために、またはその他のインシデントを見つけるために、「ズームイン」または「ズームアウト」してもよい。例えば、ユーザが、相対的に下位の層のグループ（例えば、マンハッタン南端部）のインシデントを検索し、層を高位に移動し（例えば、マンハッタン）、層を下位に移動し（例えば、ミッドタウン）、そして別の層（例えば、エンパイアステートビルやペンシルバニア駅）に移動してもよい。ユーザはまた、同一の階層の層において、あるグループから隣接するグループへ、「横方向に」移動してもよい。
【００８８】
別のグループ化技術では、ＺＩＰコードや郵便番号、通りアドレスなどのような、郵便情報の使用を伴ってもよい。郵便情報は国ごとに広く異なる。例えば、アメリカ合衆国では特定の領域又はサービスを行う郵便局を識別するために５桁のＺＩＰコードが使用されるであろう。ＺＩＰコードへの４桁の拡張がより正確な情報を提供するであろう。スウェーデンでは、例えば、漸進的により狭い地理的領域を示すために５桁の郵便番号が使用される。郵便情報は単に、郵便情報を合致することでインシデントをグループ化するために、または階層構造を作成するために使用される。
【００８９】
別のグループ化技術では、サブ順序付けさらたインシデント記録を含む。例えば、特定の位置についてのインシデント記録を検索が戻す場合に、戻されたインシデント記録は時間的な方式（例えば、最近１時間以内、最近１日以内、最近１週間以内など）でグループ化されてもよいし、インシデントの種類（例えば、通話、メッセージ、ダウンロードなど）でグループ化されてもよい。
【００９０】
図４の参照を続けて、ブロック６０で、ユーザは、関心のある特定のインシデント記録を検索結果から選択してもよい。インシデント記録に関連付けられたインシデント記録やデータがユーザの関心のある情報を含む場合に、この方法は説明した方法から分岐してもよい。例えば、ユーザは所望の情報（例えば、連絡先の住所または電話番号）を読み出すために、インシデント記録に関連付けられた宛先に電話やメッセージの送信をするために、写真や画像ファイルを閲覧するために、着信音や音声ファイルを再生するためなどのために、インシデント記録を使用してもよい。
【００９１】
この方法の一つの特徴は、ブロック６０において特定した又は選択したインシデントに関連するインシデントを見つけることができることである。従って、この方法は、ブロック６０からブロック６２に移行してもよい。ブロック６２で、ブロック６０において選択したインシデント記録に関連するインシデント記録を戻すために追加の検索が実行されるであろう。ブロック６２における検索は、ブロック５４の検索において用いられたものと異なる基準又は重複する基準を用いて実行されてもよい。
【００９２】
ブロック５４から６０で実行された一組の検索基準によって関心のあるインシデント記録を見つけ、それからブロック６２で関連するインシデントを検索することは、ユーザに強力なツール（例えば、検索エンジン・インタフェース）を提供する。この種類の検索を「データマイニング」と呼ぶものもいる。
【００９３】
一つの特定の例では、ユーザがＳＭＳを送信し、直後にその位置を離れて電話を受けた場合に、ユーザは特定の場所にいたことを思い出すかもしれない。ここで、受けた電話に関連する連絡先情報を見つけることをユーザが望むが、いつ電話を受けたのかを思いだせないとする。ユーザは、その電話のインシデント記録を見つけるために、ＳＭＳを送信した位置によってＳＭＳのインシデント記録を見つけるための検索をしてもよい。そして、ユーザはＳＭＳの送信前と送信後とのうちの少なくとも何れかの所定の期間内に発生したインシデントの検索を行ってもよいし、および／または、より広いまたは異なる位置基準によって検索を行ってもよい。。第２の組の検索結果は対象の電話のインシデント記録とブロック６４における検索の検索基準を満たす任意のその他のインシデント記録とを戻すはずである。
【００９４】
ブロック６２における検索は、１以上の形式をとってもよい。ある実施形態では、この検索は、ブロック６０において選択したインシデント記録から開始して、ブロック５４における第１の検索のよって特定された距離、時刻、インシデントの種類、およびコンテンツとのうちの少なくとも何れかを広くした、ブロック５６の検索結果の拡張であってもよい。別の実施形態では、ブロック６２における検索は単に、選択インシデント記録についての時刻、位置、インシデントの種類、およびコンテンツ関連性のうちの少なくとも何れかの並び替えであってもよい。別の実施形態では、ブロック６２における検索は、新規の又は修正された検索基準の使用を含んでもよい。または、この検索は、これらの技術とその他の技術とのうちの少なくとも何れかの一つ以上の特徴を組み入れたものであってもよい。
【００９５】
ブロック６２における検索と結果の戻しとの後に、この方法はブロック５８に戻り、より詳細に前述したように、ブロック６２における結果がグループ化されユーザに提示されてもよい。
【００９６】
理解されようが、本明細書で記載されるインシデント記録編成機能および関連する方法のための使用およびデータマイニングの非常に多くの技術がある。行い得る非常に多くの変形もある。これらの使用、データマイニングの技術、および変形は添付の請求の範囲内に収まることを意図する。
【００９７】
このような変形の一つは、検索中の時刻と位置との関連の併合である。例えば、ある実施形態では、ユーザは時刻（または時刻の範囲）と位置（または位置の組）との両方によって検索を指定してもよい。別の実施形態では、重み付けの仕組みが検索中に時刻スタンプと位置スタンプとの両方の記録を調べるのに使用されてもよい。いくつかの検索では、位置にある程度の考慮を払いつつも、最近のインシデント（または選択した時刻の期間内のインシデント）を戻すために位置よりも時刻に大きい重みをつけるのが適切であろう。この種類の重み付け配置は、比較的狭い期間からの、または、比較的広い地理的領域からのインシデント（例えば、昨日のインシデントのうち、ユーザの職場の都市で起きたもの）にユーザが関心を持っているのような状況で適切であろう。その他の検索では、時間にある程度の考慮を払いつつも、特定の位置に関連するインシデント（例えば、特定の場所のインシデントのうち、２週間前から２ヶ月前までのもの）を戻すために時刻よりも位置に大きい重みをつけるのが適切であろう。
【００９８】
重み値は時間と位置との間のバランスを得るために静的に割り当てられてもよい。または、ユーザは所与の検索において時間と位置とのどちらにより重みを置くかについての選択が与えられてもよい。別の実施形態では、動的重み付け適合スキームが用いられてもよい。この実施形態では、第１の検索結果（ブロック５８）の提示の後に、インシデント記録編成機能はユーザの行動を追跡してもよい。ユーザが最近のインシデントに関心を持つ傾向にある場合には、重み付けは時刻ベースの検索の方に移行してもよい。ユーザがまさに特定の場所でのインシデントに関心を持つ傾向にある場合には、重み付けは位置ベースの検索の方に移行してもよい。ある実施形態では、例えば、位置ベースの強調から時間ベースの強調へ、またはその逆へ、ユーザがグラフィカル・ユーザ・インタフェースのスライドバーをスライドすることによって、位置と時間との間の重み付けを変更することで、検索結果は、動的に並び替えられるであろう。このような実施形態では、様々な重み値の組み合わせについてユーザに向けて異なる組のインシデントを潜在的にもたらすために結果が並び替えられるだろう。
【００９９】
ある状況では、位置情報による検索と、戻されたインシデント記録の相対的な位置によるグループ化との少なくとも何れかを行うことで、インシデント記録に関連付けられた位置情報を支援するためのサーバと移動体電話１０は情報を交換してもよい。例えば、ユーザがランドマークの名称を用いて検索することを望む場合には、記憶された位置データと検索基準との比較に用いるために、移動体電話１０はランドマークのＧＰＳ座標をサーバから読み出してもよい。
【０１００】
理解されようが、携帯用電子機器が関与するインシデントの記録に位置情報を関連付けるためのシステムおよび方法が開示される。また、位置情報に基づいた検索、グループ化、提示の少なくとも何れかを行うためのシステムおよび方法が開示される。これらのシステムおよび方法は、インシデントが起こった際に電子機器があった場所に（または、インシデントが起こった際に電子機器のその他のアイテムがあった場所に）少なくとも一部は基づいて１以上のインシデントを特定するために、電子機器のコンテンツとログとのうちの少なくともいずれかを探し当てることを望むユーザに利益をもたらす。
【０１０１】
携帯型移動体機器のインシデントについての位置情報の管理に関連する機能は、インシデント記録編成機能２２として実現されてもよい。このような機能と遠隔の装置又はサーバの対応する機能とは、ソフトウェア、ファームウェア、専用回路要素、コンピュータで読み取り可能な記録媒体、機械の使用可能な記録媒体などを含む、任意の適切な形式で実現されてもよい。
【０１０２】
本明細書に添付の図面は機能論理ブロックを実行する特定の順番を示すが、ブロックの実行の順番は示された順番と比べて変わってもよい。また、連続する２以上の示されたブロックは同時にまたは並列に実行されてもよい。また、特定のブロックは省略され得る。さらに、任意の個数のコマンド、状態変数、セマフォ、または通知は、実用性、説明、性能、測定、問題解決、および同様のもののために論理フローに追加され得る。このようなすべての変形は本発明の範囲内であることが理解されよう。
【０１０３】
本発明は特定の好適な実施形態に関して示され説明されたが、当業者は本明細書を読み理解することで均等物および変形を想到するだろうことが理解されよう。本発明はこのようなすべての均等物と変形とを含み、添付の請求の範囲によってのみ制限される。
【図面の簡単な説明】
【０１０４】
【図１】本発明の実施形態に係る例示的な電子機器としての移動体電話の概略図の一例である。
【図２】本発明の実施形態に係る図１の移動体電話の関連部分の概略ブロック図の一例である。
【図３】本発明の実施形態に係る図１の移動体電話によって実行される例示的なインシデント記録編成スキームのフローチャートの一例である。
【図４】本発明の実施形態に係る図１の移動体電話によって実行される例示的なインシデント記録検索スキームのフローチャートの一例である。
【図１】
2009529276.tif 000003
【図２】
2009529276.tif 000004
【図３】
2009529276.tif 000005
【図４】
2009529276.tif 000006
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
移動体無線端末（１０）内のインシデント記録を管理する方法であって、
前記移動体無線端末（１０）の関与する複数のインシデントのそれぞれの発生の際に、該インシデントに関連付けられたインシデント記録を生成する工程であって、該インシデントの時点における該移動体無線端末（１０）の位置を示す、記憶補助ベースの位置情報を該インシデント記録が含む工程と、
記憶補助用の値に関連する一つの位置を含む検索基準を用いて各インシデント記録に関連付けられた前記位置情報を検索する工程と、
前記検索基準の記憶補助用の値に関連する前記位置に関連付けられた前記位置から開始して、開始位置からの距離が増加するインシデント記録が続く、インシデント記録のリストを含む配置となるような地理系列の形式で、ユーザへの提示のために検索基準を満たすインシデント記録を配置する工程と、
前記インシデント記録を前記地理系列の形式で表示する工程とを備える方法。
【請求項２】
前記検索基準は時刻の値または時刻の範囲をさらに含むことを特徴とする請求項１に記載の方法。
【請求項３】
各インシデント記録に関連付けられた前記位置情報の第２の検索を行う工程であって、該第２の検索は、前記位置に関連する記憶補助用の値を含む検索基準を用いた前記検索において特定されたインシデント記録のうちの選択された一つに対して、時刻ベースの関連性、コンテンツ・ベースの関連性、またはインシデントの種類ベースの関連性のうちの少なくとも一つを有するインシデント記録を検索する工程をさらに備える請求項１又は２に記載の方法。
【請求項４】
前記距離が増加するインシデント記録は、閾値距離又は特定の位置との関係性のうちの一つによってグループ化されることを特徴とする請求項１乃至３のいずれか１項に記載の方法。
【請求項５】
前記インシデント記録を表示する工程は、該インシデント記録を地図上に図示的に提示する工程を含むことを特徴とする請求項１乃至４のいずれか１項に記載の方法。
【請求項６】
各インシデント記録は前記関連付けられた記憶補助ベースの位置情報の正確度の評価をさらに含むことを特徴とする請求項１乃至５のいずれか１項に記載の方法。
【請求項７】
各インシデント記録に関連付けられた前記位置情報を検索する工程は、前記関連付けられた位置情報の前記正確度の前記評価に基づいて前記インシデント記録をフィルタリングする工程を含むことを特徴とする請求項６に記載の方法。
【請求項８】
前記インシデント記録を表示する工程は、前記関連付けられた正確度の評価に基づいて各インシデント記録についての正確度の情報を表示する工程を含むことを特徴とする請求項６又は７に記載の方法。
【請求項９】
前記地理系列の形式の前記インシデント記録は、インシデント記録の階層構造として閲覧可能であることを特徴とする請求項１乃至８のいずれか１項に記載の方法。
【請求項１０】
移動体無線端末（１０）であって、
前記移動体無線端末（１０）の関与する複数のインシデントのそれぞれの発生の際に、インシデント記録を記憶するメモリ（１８）と、
プロセッサ（２６）であって、
各インシデントのそれぞれの発生の際に、対応するインシデント記録に位置情報を関連付け、該インシデント記録は該インシデントの時点における該移動体無線端末（１０）の位置を示し、
記憶補助用の値に関連する一つの位置を含む、ユーザに入力された検索基準に基づいて各インシデント記録に関連付けられた前記位置情報を検索し、
前記検索基準の記憶補助用の値に関連する前記位置に関連付けられた前記位置から開始して、開始位置からの距離が増加するインシデント記録が続く、インシデント記録のリストを含む配置となるような地理系列の形式で、ユーザへの提示のために検索基準を満たすインシデント記録を配置すること
を実行する場合のロジックを実行するプロセッサ（１８）と、
前記インシデント記録を前記地理系列の形式で表示するディスプレイ（１４）とを備える移動体無線端末（１０）。
【国際調査報告】
2009529276.tif 000007
2009529276.tif 000008
2009529276.tif 000009